(57)【要約】【課題】外部通信網を介してダウンロードされた音響データをリモートコントローラで再生出力する場合に、無駄な再生出力を防ぐことが可能な給湯装置を提供する。【解決手段】給湯装置１０は、浴室リモコン１２と、台所リモコン１３と、外部通信網３０に接続するための無線通信部１３８とを備える。台所リモコン１３は、無線通信部１３８を介して音響データを取得するデータ取得部１３３ａを備え、取得した音響データに基づくラジオ音声信号（音響情報）を浴室リモコン１２に送信する。浴室リモコン１２は、受信したラジオ音声信号を再生出力するための回路部とスピーカ１２５を備える。浴室リモコン１２は、ラジオ音声信号の再生出力を停止させる停止条件の充足の有無を判定する判定部１２３ａと、停止条件が充足された場合に浴室リモコン１２におけるラジオ音声信号の再生出力を停止させる再生停止部１２３ｂと、備える。【選択図】図３
2020190389.tif 000002
【特許請求の範囲】
【請求項１】
給湯器を操作するための第１のリモートコントローラと、
前記給湯器を操作するための第２のリモートコントローラと、
前記給湯器、前記第１のリモートコントローラおよび前記第２のリモートコントローラを互いに通信可能に接続する通信線と、
外部通信網に接続するための通信部と、を備え、
前記第１のリモートコントローラは、前記通信部を介して音響データを取得するデータ取得部を備え、前記データ取得部により取得した前記音響データに基づく音響情報を前記第２のリモートコントローラに送信し、
前記第２のリモートコントローラは、受信した前記音響情報を再生出力するための回路部およびスピーカを備え、
前記音響情報の再生出力を停止させる停止条件の充足の有無を判定する判定部と、
前記停止条件が充足された場合に前記第２のリモートコントローラにおける前記音響情報の再生出力を停止させる再生停止部と、をさらに備える、
ことを特徴とする給湯装置。
【請求項２】
請求項１に記載の給湯装置において、
前記判定部は、前記給湯器の運転状態が停止状態になったか否かをさらに判定し、
前記停止条件は、前記給湯器の運転状態が停止状態になったことを含む、
ことを特徴とする給湯装置。
【請求項３】
請求項１または２に記載の給湯装置において、
前記判定部は、前記給湯器が故障状態になったか否かをさらに判定し、
前記停止条件は、前記給湯器が故障状態になったことを含む、
ことを特徴とする給湯装置。
【請求項４】
請求項１ないし３の何れか一項に記載の給湯装置において、
前記第２のリモートコントローラは、前記音響情報とは異なる他の音響情報を前記第１のリモートコントローラから受信して再生出力可能に構成され、
前記停止条件は、前記第２のリモートコントローラが前記他の音響情報を再生出力する状態となったことを含む、
ことを特徴とする給湯装置。
【請求項５】
請求項１ないし４の何れか一項に記載の給湯装置において、
前記第２のリモートコントローラは、浴室に設置され、前記浴室に人が居るか否かを検出するための人感センサを備え、
前記停止条件は、前記人感センサにより人が検出されなくなったことを含む、
ことを特徴とする給湯装置。
【請求項６】
請求項１ないし５の何れか一項に記載の給湯装置において、
前記再生停止部は、前記判定部により前記停止条件が充足されたと判定されたことに基づいて、前記スピーカからの前記音響情報に基づく音声の出力を停止させる、
ことを特徴とする給湯装置。
【請求項７】
請求項１ないし５の何れか一項に記載の給湯装置において、
前記再生停止部は、前記判定部により前記停止条件が充足されたと判定されたことに基づいて、前記第２のリモートコントローラに対する前記音響情報の送信を停止させる、
ことを特徴とする給湯装置。
【請求項８】
請求項１ないし５の何れか一項に記載の給湯装置において、
前記再生停止部は、前記判定部により前記停止条件が充足されたと判定されたことに基づいて、前記データ取得部による前記音響データの取得を停止させる、
ことを特徴とする給湯装置。
【請求項９】
請求項１ないし８の何れか一項に記載の給湯装置において、
前記停止条件は、前記音響情報の再生出力を終了させる第１停止条件と、前記音響情報の再生出力を一時停止させる第２停止条件とを含み、
前記再生停止部は、
前記判定部により前記第１停止条件が充足されたと判定された場合は、前記音響情報の再生出力を終了させ、
前記判定部により前記第２停止条件が充足されたと判定された場合は、前記音響情報の再生出力を一時停止させ、前記判定部により前記第２停止条件が充足されないことが判定されたことに基づいて、前記音響情報の再生出力を復帰させる、
ことを特徴とする給湯装置。
【請求項１０】
請求項１ないし９の何れか一項に記載の給湯装置において、
前記判定部は、前記第２のリモートコントローラに設けられている、
ことを特徴とする給湯装置。
【請求項１１】
請求項１ないし１０の何れか一項に記載の給湯装置において、
前記再生停止部は、前記第２のリモートコントローラに設けられている、
ことを特徴とする給湯装置。
【請求項１２】
請求項１ないし１１の何れか一項に記載の給湯装置において、
前記通信部は、前記第１のリモートコントローラに設けられている、
ことを特徴とする給湯装置。
【請求項１３】
請求項１ないし１２の何れか一項に記載の給湯装置において、
前記第１のリモートコントローラは、前記通信線を介して、前記音響情報を前記第２のリモートコントローラに送信する、
ことを特徴とする給湯装置。
【発明の詳細な説明】
【技術分野】
【０００１】
本発明は、給湯装置に関し、特に、当該給湯装置に係る操作が台所、浴室等に配置されたリモートコントローラにより行われる給湯装置に用いて好適である。
【背景技術】
【０００２】
給湯装置では、浴室やリビングに設置されたリモートコントローラを介して、各種入力が行われる。この場合、これらのリモートコントローラを介して、さらに、ラジオやテレビ等の視聴が行えると便利である。
【０００３】
以下の特許文献１には、台所と浴室にそれぞれ設置されたリモートコントローラ間のインターフォン機能を利用して、各リモートコントローラにおいて、音響データに基づく音声を出力可能な給湯装置が記載されている。この給湯装置では、外部通信網を介して、音響データが台所のリモートコントローラにダウンロードされる。台所のリモートコントローラは、ダウンロードされた音響データをアナログの音声信号に再生し、再生後の音声信号を、インターフォン機能を用いて、浴室のリモートコントローラに送信する。これにより、浴室のリモートコントローラにおいて、音響データに基づく音声が出力される。
【先行技術文献】
【特許文献】
【０００４】
【特許文献１】特開２０１８−１９２０５号公報
【発明の概要】
【発明が解決しようとする課題】
【０００５】
上記構成の給湯装置では、入浴後に、使用者が、音声出力の停止操作を行うことなく、そのまま浴室を退出することが起こり得る。このような場合、無人の浴室において音声出力が継続されることになり、無駄な電力が消費されてしまう。
【０００６】
かかる課題に鑑み、本発明は、外部通信網を介してダウンロードされた音響データをリモートコントローラで再生出力する場合に、無駄な再生出力を防ぐことが可能な給湯装置を提供することを目的とする。
【課題を解決するための手段】
【０００７】
本発明の主たる態様に係る給湯装置は、給湯器を操作するための第１のリモートコントローラと、前記給湯器を操作するための第２のリモートコントローラと、前記給湯器、前記第１のリモートコントローラおよび前記第２のリモートコントローラを互いに通信可能に接続する通信線と、外部通信網に接続するための通信部と、を備える。ここで、前記第１のリモートコントローラは、前記通信部を介して音響データを取得するデータ取得部を備え、前記データ取得部により取得した前記音響データに基づく音響情報を前記第２のリモートコントローラに送信する。また、前記第２のリモートコントローラは、受信した前記音響情報を再生出力するための回路部およびスピーカを備える。給湯装置は、前記音響情報の再生出力を停止させる停止条件の充足の有無を判定する判定部と、前記停止条件が充足された場合に前記第２のリモートコントローラにおける前記音響情報の再生出力を停止させる再生停止部と、をさらに備える。
【０００８】
本態様に係る給湯装置によれば、停止条件が充足された場合に、第２のリモートコントローラおける音響情報の再生出力が停止される。よって、第２のリモートコントローラにおける無駄な音響情報の再生出力を防ぐことができる。
【０００９】
なお、「音響情報」とは、外部通信網を介して受信した音響データを復調して得られるアナログの音声信号の他、圧縮された音響データの圧縮を解除した後の音響データや、圧縮された音響データそのもの等、音響データに基づく音声を再生出力可能な情報を広く含むものである。
【００１０】
本態様に係る給湯装置において、前記判定部は、前記給湯器の運転状態が停止状態になったか否かをさらに判定し、前記停止条件は、前記給湯器の運転状態が停止状態になったことを含み得る。
【００１１】
この構成によれば、給湯器の運転状態が停止状態となった場合、すなわち、浴室等における音響情報の視聴が想定されにくい状況となった場合に、第２のリモートコントローラにおける音響情報の再生出力が停止される。よって、第２のリモートコントローラにおける無駄な音響情報の再生出力を防ぐことができる。
【００１２】
本態様に係る給湯装置において、前記判定部は、前記給湯器が故障状態になったか否かをさらに判定し、前記停止条件は、前記給湯器が故障状態になったことを含み得る。
【００１３】
この構成によれば、給湯器が故障状態になった場合、すなわち、給湯器の使用ができないため、浴室等における音響情報の視聴が想定されにくい状況となった場合に、第２のリモートコントローラにおける音響情報の再生出力が停止される。よって、第２のリモートコントローラにおける無駄な音響情報の再生出力を防ぐことができる。
【００１４】
本態様に係る給湯装置において、前記第２のリモートコントローラは、前記音響情報とは異なる他の音響情報を前記第１のリモートコントローラから受信して再生出力可能に構成され、前記停止条件は、前記第２のリモートコントローラが前記他の音響情報を再生出力する状態となったことを含むよう構成され得る。
【００１５】
この構成によれば、第２のリモートコントローラにおいて、ガイダンス音声等の他の音響情報が再生出力される状況となった場合、すなわち、他の音声出力が優先される状況となった場合に、外部通信網から取得した音響データに基づく音声の再生出力が停止され、他の音響情報が再生出力される。よって、第２のリモートコントローラにおいて、音響情報の再生出力を適切に停止でき、ガイダンス音声等の他の音響情報に基づく音声を優先的に再生出力させることができる。
【００１６】
本態様に係る給湯装置において、前記第２のリモートコントローラは、浴室に設置され、前記浴室に人が居るか否かを検出するための人感センサを備え、前記停止条件は、前記人感センサにより人が検出されなくなったことを含むよう構成され得る。
【００１７】
この構成によれば、浴室に人が居なくなった場合に、浴室に設置された第２のリモートコントローラにおける音響情報の再生出力が停止される。よって、第２のリモートコントローラにおける無駄な音響情報の再生出力を防ぐことができる。
【００１８】
本態様に係る給湯装置において、前記再生停止部は、前記判定部により前記停止条件が充足されたと判定されたことに基づいて、前記スピーカからの前記音響情報に基づく音声の出力を停止させるよう構成され得る。
【００１９】
この構成によれば、第２のリモートコントローラにおける無駄な電力消費を抑制できる。
【００２０】
あるいは、本態様に係る給湯装置において、前記再生停止部は、前記判定部により前記停止条件が充足されたと判定されたことに基づいて、前記第２のリモートコントローラに対する前記音響情報の送信を停止させるよう構成され得る。
【００２１】
この構成によれば、第１のリモートコントローラにおける無駄な電力消費を抑制できる。
【００２２】
あるいは、本態様に係る給湯装置において、前記再生停止部は、前記判定部により前記停止条件が充足されたと判定されたことに基づいて、前記データ取得部による前記音響データの取得を停止させるよう構成され得る。
【００２３】
この構成によれば、第１のリモートコントローラにおける無駄な電力消費を抑制できる。また、音響データの取得が終了されるため、外部通信網に対する無駄な通信費の消費を抑制できる。
【００２４】
本態様に係る給湯装置において、前記停止条件は、前記音響情報の再生出力を終了させる第１停止条件と、前記音響情報の再生出力を一時停止させる第２停止条件とを含み、前記再生停止部は、前記判定部により前記第１停止条件が充足されたと判定された場合は、前記音響情報の再生出力を終了させ、前記判定部により前記第２停止条件が充足されたと判定された場合は、前記音響情報の再生出力を一時停止させ、前記判定部により前記第２停止条件が充足されないことが判定されたことに基づいて、前記音響情報の再生出力を復帰させるよう構成され得る。
【００２５】
この構成によれば、給湯器の運転停止や故障等、音響情報の再生出力が不要と想定される場合（第１停止条件が充足される場合）は、音響情報の再生出力を終了させる処理が行われ、ガイダンス音声の出力時等、音響情報の再生出力を一時的に中断させる必要性が生じた場合（第２停止条件が充足される場合）は、音響情報の再生出力が一時的に停止され、この条件が解消したことに応じて、音響情報の再生出力が再開される。これにより、音響情報の再生出力を適切に終了および一時停止させることができ、給湯装置の利便性を高めることができる。
【００２６】
なお、上記構成において、「第１停止条件」は、たとえば、給湯器の運転状態が停止状態になったこと、給湯器が故障状態になったこと、第２のリモートコントローラが設置された浴室内に人が居ないこと、あるいは、外部オーディオ機器からの音響情報が再生される状態になったこと等を含み得る。また。「第２停止状態」は、たとえば、ガイダンス音声が出力される状態になったこと、あるいは、インターフォン機能による通話が行われる状態になったこと等を含み得る。
【００２７】
本態様に係る給湯装置において、前記判定部は、前記第２のリモートコントローラに設けられ得る。また、前記再生停止部は、前記第２のリモートコントローラに設けられ得る。
【００２８】
この構成によれば、実際に音響情報の再生出力を行う第２のリモートコントローラにおいて、再生出力の可否の判定処理および再生出力の停止処理が行われる。よって、これらの処理を簡易かつ円滑に行うことができる。
【００２９】
本態様に係る給湯装置において、前記通信部は、前記第１のリモートコントローラに設けられ得る。
【００３０】
この構成によれば、台所やリビングルーム等、浴室以外の居住空間に設置される第１のリモートコントローラに通信部が配置されるため、宅内に配置されたルータと通信部との接続が安定化する。よって、外部通信網から音響データを安定的に取得して第２のリモートコントローラに送信することができる。
【００３１】
本態様に係る給湯装置において、前記第１のリモートコントローラは、前記通信線を介して、前記音響情報を前記第１のリモートコントローラに送信するよう構成され得る。
【００３２】
この構成によれば、給湯器、第１のリモートコントローラおよび第２のリモートコントローラの間で給湯動作のための情報を授受するための通信線を介して、第１のリモートコントローラから第２のリモートコントローラに音響情報が送信される。このため、別途、第１のリモートコントローラと第２のリモートコントローラとの間に、音響情報を送受信するための通信系を設ける必要がない。よって、簡素な構成により音響情報の送受信を行うことができる。
【発明の効果】
【００３３】
以上のとおり、本発明によれば、外部通信網を介してダウンロードされた音響データをリモートコントローラで再生出力する場合に、無駄な再生出力を防ぐことが可能な給湯装置を提供することができる。
【００３４】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００３５】
【図１】図１は、実施形態に係る、給湯装置の構成を示す図である。
【図２】図２（ａ）および（ｂ）は、実施形態に係る、２つのリモートコントローラの操作部に設けられた操作ボタンについて説明するための図である。
【図３】図３は、実施形態に係る、給湯器、浴室リモコンおよび台所リモコンの回路ブロックを示す図である。
【図４】図４は、実施形態に係る、ガイダンス機能実行時の音声信号の流れを示す図である。
【図５】図５は、実施形態に係る、通話機能実行時の音声信号の流れを示す図である。
【図６】図６は、実施形態に係る、外部オーディオ機能実行時の音声信号の流れを示す図である。
【図７】図７は、実施形態に係る、ラジオ機能実行時の音声信号の流れを示す図である。
【図８】図８は、実施形態に係る、ラジオ機能の停止処理を示すフローチャートである。
【図９】図３は、変更例に係る、給湯器、浴室リモコンおよび台所リモコンの回路ブロックを示す図である。
【発明を実施するための形態】
【００３６】
以下、本発明の実施形態について図面を参照して説明する。
【００３７】
図１は、給湯装置１０の構成を示す図である。図２（ａ）、（ｂ）は、リモートコントローラ１２、１３の操作部１２２、１３２に設けられた操作ボタンについて説明するための図である。
【００３８】
給湯装置１０は、給湯器１１と、リモートコントローラ１２、１３とを備えている。給湯器１１は、ガスを燃料として湯を供給するガス給湯器である。給湯器１１により生成された湯は、給湯口１１ａにそれぞれ接続された配管を介して、台所の蛇口や、浴槽、カラン等に供給される。給湯器１１が、床暖房機能や、浴室暖房機能およびパネルヒータによる暖房機能を備える場合、これら機能を実現する機器に対して、給湯器１１から湯が供給される。
【００３９】
給湯装置１０は、カラン等に湯を供給する給湯機能、浴槽にお湯を張る湯張り機能の他、浴槽内に湯が張られた後にその湯を保温する保温機能と、浴槽内の湯を追い焚きする追い焚き機能と、浴槽内にお湯を足す足し湯機能とを備える。湯張り機能とそれに続く保温機能とによりふろ自動機能が構成される。ふろ自動機能が、湯張り機能のみにより構成される場合もある。保温機能および追い焚き機能では、浴槽と給湯器１１との間でお湯が循環し循環中のお湯が加熱されることによってお湯が熱くなる。
【００４０】
リモートコントローラ１２、１３は、給湯器１１に接続され、給湯装置１０の各機能について種々の設定を行うために用いられる。リモートコントローラ１２、１３は、それぞれ、表示部１２１、１３１と、操作部１２２、１３２とを備える。操作者は、表示部１２１、１３１に表示された画面に従って操作部１２２、１３２を操作することにより、湯張りや給湯温度調節等について、任意の設定を行うことができる。
【００４１】
図２（ａ）、（ｂ）に示すように、操作部１２２、１３２には、運転ボタン１２２ａ、１３２ａ、ふろ自動ボタン１２２ｂ、１３２ｂ、追い焚きボタン１２２ｃ、１３２ｃ、足し湯ボタン１２２ｄ、１３２ｄ、ラジオボタン１２２ｅ、１３２ｅを含む各種の操作ボタンが設けられる。
【００４２】
リモートコントローラ１２、１３が運転オフモード（カラン等の給湯栓が開かれて基準流量以上の通水が発生したとしても給湯器１１が給湯運転を行わない状態）にあるとき、表示部１２１、１３１は消灯状態にあり、運転ボタン１２２ａ、１３２ａ以外の操作ボタンの操作は受け付けられない。運転ボタン１２２ａ、１３２ａが操作され、運転オンモード（カラン等の給湯栓が開かれて基準流量以上の通水が発生したときに給湯器１１が給湯運転を行える状態）になると、表示部１２１、１３１が点灯して設定内容が表示されるとともに運転ボタン１２２ａ、１３２ａ以外の操作ボタンの操作が受け付け可能となる。
【００４３】
ふろ自動ボタン１２２ｂ、１３２ｂは、ふろ自動機能の運転を開始および停止させるための操作ボタンである。追い焚きボタン１２２ｃ、１３２ｃは、追い焚き機能の運転を開始および停止させるための操作ボタンである。足し湯ボタン１２２ｄ、１３２ｄは、足し湯機能の運転を開始および停止させるための操作ボタンである。ラジオボタン１２２ｅ、１３２ｅは、ラジオを聴く場合に操作される操作ボタンである。ラジオボタン１２２ｅ、１３２ｅが操作されてラジオ機能が動作した後、再度、ラジオボタン１２２ｅ、１３２ｅが操作されると、ラジオ機能が終了する。
【００４４】
リモートコントローラ１２、１３には、音声を入出力するための音声入出力口１２ａ、１３ａが設けられている。音声入出力口１２ａ、１３ａは、湯張りの完了等、給湯装置１０に関する所定の動作を通知するためのガイダンス音声の出力や、インターフォン機能を用いた通話時の音声の入出力等のために用いられる。通話時には、音声入出力口１２ａ、１３ａの一方から入力された音声に基づく音声信号が、２芯通信線Ｌ１０を介して送信され、音声入出力口１２ａ、１３ａの他方から出力される。これにより、リモートコントローラ１２側の使用者と、リモートコントローラ１３側の使用者との間で会話ができる。
【００４５】
リモートコントローラ１２は、浴室に設置され、リモートコントローラ１３は、キッチン等に設置される。以下、浴室に設置されるリモートコントローラ１２を、「浴室リモコン１２」と称し、キッチン等に設置されるリモートコントローラ１３を、「台所リモコン１３」と称する。
【００４６】
図１に示すように、台所リモコン１３は、無線通信により、宅内Ｈ１０に設置されたルータ２０と接続可能である。本実施形態では、所定放送局のラジオの音響データが、外部通信網３０（たとえば、インターネット回線等の公衆通信網）およびルータ２０を介して、ラジオサーバ４０から台所リモコン１３に送信される。ここでは、所定時間分（たとえば、５秒）の音響データが所定の圧縮方式（たとえば、ＡＡＣやＭＰ３）で圧縮されて、ラジオサーバ４０から台所リモコン１３に順次配信される。
【００４７】
配信された音響データに基づく音声が台所リモコン１３において出力される場合、音響データが順次、台所リモコン１３でデコードおよび再生される。これにより、当該ラジオの音声が、台所リモコン１３の音声入出力口１３ａから出力される。
【００４８】
また、配信された音響データに基づく音声が浴室リモコン１２において出力される場合、配信された音響データが台所リモコン１３においてデコードされて、アナログの音声信号が取得される。取得された音声信号は、順次、２芯通信線Ｌ１０を介して浴室リモコン１２に送信される。送信された音声信号は、浴室リモコン１２において再生出力される。これにより、当該ラジオの音声が、浴室リモコン１２の音声入出力口１２ａから出力される。こうして、使用者は、キッチンや浴室内でラジオを楽しむことができる。
【００４９】
また、台所リモコン１３には、外部オーディオ機器から出力される音声信号を入力するための入力端子１３ｂが設けられている。外部オーディオ機器の外部出力端子に通信コードの一方のコネクタが接続され、この通信コードの他方のコネクタが入力端子１３ｂに接続される。この状態で、外部オーディオ機器において所定の音源が再生されると、当該音源に基づくアナログの音声信号が、通信コードおよび入力端子１３ｂを介して台所リモコン１３に入力される。入力された音声信号は、台所リモコン１３に対する設定操作に応じて、浴室リモコン１２および台所リモコン１３の一方または両方において再生出力される。当該音声は、音声入出力口１２ａ、１３ａから出力される。
【００５０】
ここで、外部オーディオ機器から入力された音声信号が浴室リモコン１２側で出力される場合、当該音声信号が、上述のインターフォン機能を用いて、台所リモコン１３から浴室リモコン１２に送信される。これにより、外部オーディオ機器から入力された音声信号に基づく音声が、浴室リモコン１２側の音声入出力口１２ａから出力される。
【００５１】
このように、本実施形態では、通話に用いるインターフォン機能を利用して、ラジオサーバ４０から取得した音響データに基づく音声と、外部オーディオ機器から取得した音声信号に基づく音声を、浴室リモコン１２の音声入出力口１２ａから出力させることができる。
【００５２】
図３は、給湯器１１、浴室リモコン１２および台所リモコン１３の回路ブロックを示す図である。
【００５３】
給湯器１１は、制御部１１１と、センサ部１１２と、駆動部１１３とを備える。
【００５４】
制御部１１１は、マイクロコンピュータを備え、内蔵メモリに記憶された制御プログラムに従って、給湯器１１内の各部を制御する。また、制御部１１１は、２芯通信線Ｌ１０によって、浴室リモコン１２の制御部１２３および台所リモコン１３の制御部１３３と接続されている。制御部１１１は、２芯通信線Ｌ１０を介して、浴室リモコン１２の制御部１２３および台所リモコン１３の制御部１３３と通信を行う。
【００５５】
センサ部１１２は、給湯動作に必要な各種センサを備える。たとえば、センサ部１１２は、給湯口１１ａに繋がる配管を流れる湯の温度を検出する温度センサや、配管を流れる湯の流量を検出する流量センサ、給湯装置１０が接続された浴槽の水位を検出する水位センサ等を備える。この他、センサ部１１２は、燃焼機に供給される燃料ガスのガス圧を検出するセンサや、ＣＯ２濃度を検出するセンサ等を含む。
【００５６】
駆動部１１３は、給湯動作に必要な各種駆動機構を備える。たとえば、駆動部１１３は、燃焼器に空気を供給するファンや、元ガス電磁弁、流調弁等を備える。制御部１１１は、センサ部１１２からの検出信号に基づいて、駆動部１１３を駆動し、湯の供給や湯温の調節等の制御を行う。また、制御部１１１は、センサ部１１２からの検出信号に基づいて、給湯器１１の故障を検出する。たとえば、制御部１１１は、ＣＯ２濃度の検出結果から不完全燃焼に基づく故障を検出し、あるいは、湯温の検出結果から出湯温度異常に基づく故障を検出する。
【００５７】
浴室リモコン１２は、上述の表示部１２１および操作部１２２の他、制御部１２３と、音声切替部１２４と、スピーカ１２５と、インターフォン通信部１２６と、マイク１２７と、人感センサ１２８とを備える。表示部１２１は、たとえば、液晶パネルにより構成される。操作部１２２は、上述のように、運転オン／オフや、湯張り、追い焚き等のための各種操作ボタンを備える。表示部１２１が、タッチパネルであってもよい。
【００５８】
制御部１２３は、マイクロコンピュータを備え、内蔵メモリに記憶された制御プログラムに従って各部を制御する。制御プログラムによる機能として、判定部１２３ａと、再生停止部１２３ｂとが、制御部１２３に設定される。ここで、判定部１２３ａは、ラジオ音声の再生出力を停止させる停止条件が充足されたか否かを判定する機能である。停止条件は、ラジオ機能が使用されない状況となった事象に基づいて規定される。また、再生停止部１２３ｂは、停止条件が充足された場合にラジオ音声の再生出力を停止させる機能である。
【００５９】
また、制御部１２３の内蔵メモリには、ガイダンス音声を出力するための音源情報が記憶されている。ガイダンス音声とは、給湯動作に関する通知を行うための音声のことである。たとえば、浴室リモコン１２または台所リモコン１３に対する操作により給湯器１１の運転が開始されたことを通知する音声や、湯張りが完了したことを通知する音声等が、ガイダンス音声に含まれる。
【００６０】
音声切替部１２４は、制御部１２３からの制御に従って、スピーカ１２５に供給する音声信号を切り替える。スピーカ１２５は、音声切替部１２４から入力される音声信号を出力する。スピーカ１２５は、図１および図２（ａ）に示した音声入出力口１２ａを介して音声を出力する。
【００６１】
インターフォン通信部１２６は、制御部１２３からの制御に従って、台所リモコン１３のインターフォン通信部１３６と、音声信号の送受信を行う。インターフォン通信部１２６、１３６は、２芯通信線Ｌ１０に接続されている。インターフォン通信部１２６、１３６は、２芯通信線Ｌ１０を介して、音声信号の送受信を行う。
【００６２】
なお、２芯通信線Ｌ１０は、給湯器１１から浴室リモコン１２および台所リモコン１３に対する電力の供給にも用いられる。この電力電圧に送信信号が重畳されて、給湯器１１、浴室リモコン１２および台所リモコン１３の各制御部１１１、１２３、１３３の間で通信が行われる。たとえば、操作部１２２、１３２を介して入力された設定情報や、現時点の設定状態を示す状態情報が、２芯通信線Ｌ１０上の電力電圧に重畳されて、各制御部１１１、１２３、１３３の間で送受信され、共有される。さらに、上述の音声信号が、２芯通信線Ｌ１０上の電力電圧に重畳されて、インターフォン通信部１２６、１３６間で送受信される。状態情報を送受信するための周波数帯は、音声信号を送受信するための周波数帯に比べて高く設定されている。
【００６３】
マイク１２７は、浴室リモコン１２側の使用者が発した音声を集音し、当該音声に基づく音声信号を、インターフォン通信部１２６に出力する。当該音声信号は、インターフォン通信部１２６から２芯通信線Ｌ１０を介して、台所リモコン１３側のインターフォン通信部１３６に送信され、台所リモコン１３側のスピーカ１３５から再生出力される。マイク１２７は、図１および図２（ａ）に示した音声入出力口１２ａを介して音声を集音する。
【００６４】
人感センサ１２８は、浴室内に人が居ることを検出し、検出結果を制御部１２３に送信する。人感センサ１２８は、たとえば、赤外線焦電センサである。人感センサ１２８が、赤外線焦電センサ以外の種類の人感センサであってもよい。
【００６５】
台所リモコン１３は、上述の表示部１３１および操作部１３２の他、制御部１３３と、音声切替部１３４と、スピーカ１３５と、インターフォン通信部１３６と、マイク１３７と、無線通信部１３８とを備える。表示部１３１は、たとえば、液晶パネルにより構成される。操作部１３２は、上述の通り、運転オン／オフや、湯張り、追い焚き等のための各種操作ボタンを備える。表示部１３１が、タッチパネルであってもよい。
【００６６】
制御部１３３は、マイクロコンピュータを備え、内蔵メモリに記憶された制御プログラムに従って各部を制御する。制御プログラムによる機能として、データ取得部１３３ａと、再生部１３３ｂとが、制御部１２３に設定される。
【００６７】
データ取得部１３３ａは、ラジオ機能の実行時に、無線通信部１３８を介してラジオサーバ４０に接続し、ラジオサーバ４０から音響データを取得する機能である。上記のように、データ取得部１３３ａは、所定の圧縮方式で圧縮された所定時間分（たとえば、５秒）の音響データを、順次、ラジオサーバ４０から取得する。
【００６８】
再生部１３３ｂは、取得した音響データの圧縮を解除し、さらに、圧縮解除の音響データをアナログの音声信号（ラジオ音声信号）に再生する機能である。再生部１３３ｂにより再生されたラジオ音声信号は、随時、音声切替部１３４に出力される。
【００６９】
また、制御部１２３の内蔵メモリには、浴室リモコン１２の制御部１３３と同様、ガイダンス音声を出力するための音源情報が記憶されている。
【００７０】
音声切替部１３４は、制御部１３３からの制御に従って、スピーカ１３５に供給する音声信号を切り替える。また、音声切替部１３４は、制御部１３３からの制御に従って、インターフォン通信部１３６に供給する音声信号、すなわち、２芯通信線Ｌ１０を介して浴室リモコン１２に送信する音声信号を切り替える。
【００７１】
スピーカ１３５は、音声切替部１３４から入力される音声信号を出力する。スピーカ１３５は、図１および図２（ｂ）に示した音声入出力口１３ａを介して音声を出力する。
【００７２】
インターフォン通信部１３６は、制御部１３３からの制御に従って、台所リモコン１３のインターフォン通信部１３６と、音声信号の送受信を行う。
【００７３】
マイク１３７は、台所リモコン１３側の使用者が発した音声を集音し、当該音声に基づく音声信号を、インターフォン通信部１３６に出力する。当該音声信号は、インターフォン通信部１３６から２芯通信線Ｌ１０を介して、浴室リモコン１２側のインターフォン通信部１２６に送信され、浴室リモコン１２側のスピーカ１２５から再生出力される。マイク１３７は、図１および図２（ｂ）に示した音声入出力口１３ａを介して音声を集音する。
【００７４】
無線通信部１３８は、ルータ２０との間で無線通信が可能な無線通信モジュールである。無線通信部１３８は、ルータ２０を介して外部通信網３０に接続される。制御部１３３は、データ取得部１３３ａの機能により、無線通信部１３８を介して、ラジオサーバ４０からラジオの音響データを取得する。この動作は、図２（ａ）、（ｂ）のラジオボタン１２２ｅ、１３２ｅが操作されることにより行われる。使用者は、操作部１２２、１３２に配置された所定のボタンを操作することにより、ラジオの選局が可能である。ラジオ音声の再生には、ストリーミング方式が用いられる。
【００７５】
本実施形態では、浴室リモコン１２および台所リモコン１３に、それぞれ、ガイダンス音声を出力する機能（ガイダンス機能）、通話を行う機能（通話機能）、外部オーディオ機器５０からの音声信号を再生出力する機能（外部オーディオ機能）、および、ラジオ音声の再生機能（ラジオ機能）が設けられている。以下、これらの機能について説明する。
【００７６】
＜ガイダンス機能＞
図４は、ガイダンス機能実行時の音声信号の流れを示す図である。図４において、破線の矢印は、浴室リモコン１２側で生成された音声信号の流れを示し、実線の矢印は、台所リモコン１３側で生成された音声信号の流れを示している。
【００７７】
ガイダンス機能は、給湯装置１０においてガイダンス音声を出力する事象（運転開始、湯張り完了、等）が生じた場合に実行される。制御部１２３、１３３の内蔵メモリには、これら事象と、ガイダンス音声の音源情報とが互いに対応付けて記憶されている。
【００７８】
制御部１２３、１３３は、これらの事象が生じた場合に、当該事象に対応付けられた音源情報を再生し、再生したアナログの音声信号（ガイダンス音声信号）を、音声切替部１３４に出力する。音声切替部１３４は、制御部１２３、１３３からの制御に従って、これらガイダンス音声信号を、それぞれ、スピーカ１２５、１３５に出力する。これにより、スピーカ１２５、１３５からガイダンス音声が出力される。
【００７９】
＜通話機能＞
図５は、通話機能実行時の音声信号の流れを示す図である。図５において、破線の矢印は、浴室リモコン１２側で生成された音声信号の流れを示し、実線の矢印は、台所リモコン１３側で生成された音声信号の流れを示している。
【００８０】
通話機能は、図２（ａ）、（ｂ）の操作部１２２、１３２に対して、通話機能を開始させる操作が行われた場合に実行される。
【００８１】
マイク１２７、１３７は、使用者からの音声を集音してアナログの音声信号（通話音声信号）を生成し、生成した通話音声信号を、それぞれ、インターフォン通信部１２６、１３６に出力する。浴室側のインターフォン通信部１２６は、制御部１２３からの制御に従って、マイク１２７から入力された通話音声信号を、２芯通信線Ｌ１０を介して、台所側のインターフォン通信部１３６に送信する。同様に、台所側のインターフォン通信部１３６は、制御部１３３からの制御に従って、マイク１３７から入力された通話音声信号を、２芯通信線Ｌ１０を介して、浴室側のインターフォン通信部１２６に送信する。
【００８２】
インターフォン通信部１２６、１３６は、受信した通話音声信号を、それぞれ、音声切替部１２４、１３４に出力する。音声切替部１２４、１３４は、入力された通話音声信号を、それぞれ、スピーカ１２５、１３５に出力する。これにより、スピーカ１２５、１３５から通話音声が出力される。
【００８３】
＜外部オーディオ機能＞
図６は、外部オーディオ機能実行時の音声信号の流れを示す図である。図６において、破線の矢印は、外部オーディオ機器５０からの音声信号を浴室リモコン１２側で再生出力する場合の音声信号の流れを示し、細い実線の矢印は、外部オーディオ機器５０からの音声信号を台所リモコン１３側で再生出力する場合の音声信号の流れを示している。太い実線の矢印は、外部オーディオ機器５０から出力される音声信号である。
【００８４】
外部オーディオ機能は、入力端子１３ｂにコネクタが接続されたことが検出されたことに応じて開始される。その後、使用者は、図２（ｂ）の操作部１３２に対して、浴室リモコン１２と台所リモコン１３の両方または一方に外部オーディオ機器５０からの音声信号を再生出力させる操作を行う。さらに、使用者は、外部オーディオ機器５０に対し、所望の音源の音声信号を出力させる操作を行う。これにより、入力端子１３ｂを介して外部オーディオ機器５０から、アナログの音声信号（外部オーディオ音声信号）が音声切替部１３４に入力される。
【００８５】
外部オーディオ音声信号を台所リモコン１３で再生出力する設定がなされた場合、音声切替部１３４は、入力された外部オーディオ音声信号を、スピーカ１３５に出力する。これにより、スピーカ１３５から、外部オーディオ音声信号に基づく音声が出力される。
【００８６】
外部オーディオ音声信号を浴室リモコン１２で再生出力する設定がなされた場合、音声切替部１３４は、入力された外部オーディオ音声信号を、インターフォン通信部１３６に出力する。インターフォン通信部１３６は、入力された外部オーディオ音声信号を、２芯通信線Ｌ１０を介して、浴室リモコン１２側のインターフォン通信部１２６に送信する。
【００８７】
インターフォン通信部１２６は、受信した外部オーディオ音声信号を音声切替部１２４に出力する。音声切替部１２４は、入力された外部オーディオ音声信号をスピーカ１２５に出力する。これにより、スピーカ１２５から外部オーディオ音声信号に基づく音声が出力される。
【００８８】
＜ラジオ機能＞
図７は、ラジオ機能実行時の音声信号の流れを示す図である。図７において、破線の矢印は、ラジオ音声信号を浴室リモコン１２側で再生出力する場合の音声信号の流れを示し、点線の矢印は、ラジオ音声信号を台所リモコン１３側で再生出力する場合の音声信号の流れを示している。太い実線の矢印は、ラジオサーバ４０から配信されるラジオの音響データである。細い実線の矢印は、音響データを再生して取得されるアナログのラジオ音声信号である。
【００８９】
ラジオ機能は、図２（ａ）、（ｂ）のラジオボタン１２２ｅ、１３２ｅが操作されることにより実行される。使用者は、操作部１２２、１３２に対して、浴室リモコン１２と台所リモコン１３の両方または一方にラジオ機能を設定する操作を行う。これにより、制御部１３３が、データ取得部１３３ａの機能により、無線通信部１３８を介して、ラジオサーバ４０に接続する。その後、ラジオサーバ４０から制御部１３３に、ラジオの音響データが送信される。
【００９０】
制御部１３３は、受信した音響データを、再生部１３３ｂの機能により再生してアナログのラジオ音声信号を生成する。制御部１３３は、生成したラジオ音声信号を、連続的に、音声切替部１３４に出力する。
【００９１】
ラジオ音声信号を台所リモコン１３で再生出力する設定がなされた場合、音声切替部１３４は、入力されたラジオ音声信号を、スピーカ１３５に出力する。これにより、スピーカ１３５から、ラジオ音声信号に基づく音声が出力される。
【００９２】
ラジオ音声信号を浴室リモコン１２で再生出力する設定がなされた場合、音声切替部１３４は、入力されたらラジオ音声信号を、インターフォン通信部１３６に出力する。インターフォン通信部１３６は、入力されたラジオ音声信号を、２芯通信線Ｌ１０を介して、浴室リモコン１２側のインターフォン通信部１２６に送信する。
【００９３】
インターフォン通信部１２６は、受信したラジオ音声信号を音声切替部１２４に出力する。音声切替部１２４は、入力されたラジオ音声信号をスピーカ１２５に出力する。これにより、スピーカ１２５からラジオ音声信号に基づく音声が出力される。
【００９４】
＜機能の競合＞
本実施形態では、浴室リモコン１２および台所リモコン１３にスピーカ１２５、１３５が１つずつしか配置されていない。このため、上記の機能が競合した場合、何れの機能に基づく音声信号を再生出力するかを予め決めておく必要がある。
【００９５】
本実施形態では、給湯動作に関する通知を確実に行うとの観点から、ガイダンス機能の優先順位が最高位に設定される。また、浴室リモコン１２と台所リモコン１３との間の通話には緊急性が想定されるため、通話機能の優先順位が２番目に設定される。残る外部オーディオ機能とラジオ機能とでは、外部オーディオ機能の方が設置の煩雑さの観点から、使用者の使用意思が高いと想定される。このため、外部オーディオ機能の優先順位がラジオ機能の優先順位よりも高く設定される。よって、優先順の順に各機能を並べると、ガイダンス機能、通話機能、外部オーディオ機能、ラジオ機能の順になる。
【００９６】
このような優先順位に基づいて、他の機能が動作している状態では、ラジオ機能の開始操作が受け付けられない。また、ラジオ機能が動作している状態で、他の機能が競合すると、ラジオ機能に基づく音声の出力が停止され、他の機能に基づく音声の出力に切り替えられる。同様に、外部オーディオ機能が動作している状態でガイダンス機能または通話機能が競合すると、外部オーディオ機能に基づく音声の出力が停止され、ガイダンス機能または通話機能に基づく音声の出力に切り替えられる。通話機能が動作している状態でガイダンス機能が競合すると、通話機能に基づく音声の出力が停止され、ガイダンス機能に基づく音声の出力に切り替えられる。以上の制御が、制御部１２３、１３３において行われる。
【００９７】
＜ラジオ機能の停止処理＞
ところで、上記の構成では、入浴後に、使用者が、ラジオ機能の停止操作を行うことなく、そのまま浴室を退出することが起こり得る。このような場合、無人の浴室において音声出力が継続されることになり、無駄な電力が消費されてしまう。また、運転ボタン１２２ａが操作されて風呂が使用されなくなった場合や、給湯器１１が故障して風呂を使用できなくなった場合も、浴室でラジオが視聴される状況が想定されにくい。したがって、このような場合に、ラジオ機能が継続されると、無駄な電力が消費されることになる。
【００９８】
そこで、本実施形態では、ラジオの再生出力を停止させる停止条件が予め設定され、この停止条件が充足された場合に、ラジオの再生出力を停止させる処理が行われる。ここで、停止条件の充足の有無は、浴室リモコン１２の制御部１２３が、判定部１２３ａの機能により判定し、ラジオの再生出力を停止させる処理は、浴室リモコン１２の制御部１２３が、再生停止部１２３ｂの機能により実行する。
【００９９】
図８は、ラジオ機能の停止処理を示すフローチャートである。この処理は、ラジオ機能の開始に応じて開始される。
【０１００】
制御部１２３は、判定部１２３ａの機能により、第１停止条件または第２停止条件が充足されたか否かを判定する（Ｓ１１、Ｓ１２）。ここで、第１停止条件は、ラジオ音声信号の再生出力を終了させる条件、すなわち、ラジオ機能を終了させる条件である。また、第２停止条件は、ラジオ音声信号の再生出力を一時停止させる条件、すなわち、ラジオ機能を継続させたまま、ラジオ音声の出力を停止させる条件である。第１停止条件および第２停止条件は、たとえば、以下のように設定される。
【０１０１】
・第１停止条件
（ａ）給湯器１１の運転が停止されたこと。
（ｂ）給湯器１１に給湯動作を行い得ない故障が発生したこと。
（ｃ）浴室内に人が居ないことが検出されたこと。
（ｄ）外部オーディオ機器５０が台所リモコン１３に接続されたこと。
【０１０２】
・第２停止条件
（ｅ）ガイダンス機能が実行されていること。
（ｆ）通話機能が実行されていること。
【０１０３】
上記のうち、条件（ａ）は、図２（ａ）、（ｂ）の運転ボタン１２２ａ、１３２ａがオフ状態に切り替えられた場合に充足される。台所リモコン１３側の運転ボタン１３２ａがオフ状態に切り替えられた場合は、そのことを示す状態情報が、２芯通信線Ｌ１０を介して浴室リモコン１２に送信される。これにより、制御部１２３は、判定部１２３ａの機能により、条件（ａ）が充足されたことを識別する。
【０１０４】
条件（ｂ）は、給湯器１１の制御部１１１から故障に関する情報が送信された場合に充足される。給湯器１１に給湯動作を行い得ない故障が発生した場合、そのエラーコードが、２芯通信線Ｌ１０を介して、給湯器１１の制御部１１１から浴室リモコン１２の制御部１２３と台所リモコン１３の制御部１３３に送信される。これにより、制御部１２３は、判定部１２３ａの機能により、条件（ｂ）が充足されたことを識別する。
【０１０５】
条件（ｃ）は、人感センサ１２８が人を検出しない場合に充足される。人感センサ１２８の検出結果が、随時、制御部１２３に入力される。制御部１２３は、入力される検出結果に基づいて、判定部１２３ａの機能により、条件（ｃ）が充足されたことを識別する。
【０１０６】
条件（ｄ）は、台所リモコン１３に外部オーディオ機器５０が接続された場合に充足される。台所リモコン１３に外部オーディオ機器５０が接続された場合、そのことを示す状態情報が、２芯通信線Ｌ１０を介して、台所リモコン１３の制御部１３３から給湯器１１の制御部１１１と浴室リモコン１２の制御部１２３に送信される。これにより、制御部１２３は、判定部１２３ａの機能により、条件（ｄ）が充足されたことを識別する。
【０１０７】
条件（ｅ）は、ガイダンス音声を出力する事象が生じた場合に充足される。この事象の発生は、２芯通信線Ｌ１０を介した状態情報の授受により、制御部１２３自身で判定される。制御部１２３は、この事象が生じた場合に、判定部１２３ａの機能により、条件（ｅ）が充足されたことを識別する。
【０１０８】
条件（ｆ）は、図２（ａ）、（ｂ）の操作部１２２、１３２に対し通話機能の設定操作がなされた場合に充足される。台所リモコン１３側の操作部１３２に対し通話機能の設定操作が行われた場合は、そのことを示す状態情報が、２芯通信線Ｌ１０を介して浴室リモコン１２に送信される。これにより、制御部１２３は、判定部１２３ａの機能により、条件（ｆ）が充足されたことを識別する。
【０１０９】
上記条件（ａ）〜（ｄ）の少なくとも１つが充足されると、制御部１２３は、ステップＳ１１の判定をＹＥＳとする。また、上記条件（ｅ）、（ｆ）の少なくとも１つが充足されると、制御部１２３は、ステップＳ１２の判定をＹＥＳとする。
【０１１０】
ステップＳ１１の判定がＹＥＳの場合、制御部１２３は、再生停止部１２３ｂの機能により、ラジオ機能の終了処理を実行する（Ｓ１３）。ステップＳ１３において、制御部１２３は、まず、ラジオ機能の終了指示を台所リモコン１３に送信する。これにより、台所リモコン１３側において、ラジオ機能を終了させる処理が行われる。すなわち、台所リモコン１３の制御部１３３は、無線通信部１３８を制御してラジオサーバ４０に対する接続を解除し、さらに、データ取得部１３３ａおよび再生部１３３ｂの機能を停止させる。
【０１１１】
さらに、制御部１２３は、ステップＳ１３において、浴室リモコン１２に設定されているラジオ機能を終了させる。すなわち、制御部１２３は、判定部１２３ａおよび再生停止部１２３ｂの機能を停止させる。これにより、制御部１２３は、図８の処理を終了する。
【０１１２】
なお、充足された第１停止条件が上記条件（ａ）、（ｂ）、（ｃ）の何れかである場合、制御部１２３、１３３は、ラジオ機能の終了に伴い、音声切替部１２４、１３４、インターフォン通信部１２６、１３６およびスピーカ１２５、１３５の動作を停止させる。これに対し、充足された第１停止条件が上記条件（ｄ）の場合、制御部１２３、１３３は、ラジオ機能の終了後も、音声切替部１２４、１３４、インターフォン通信部１２６、１３６およびスピーカ１２５、１３５の動作を継続させる。この場合、制御部１３３は、外部オーディオ機器５０から入力される音声信号をインターフォン通信部１３６およびスピーカ１３５に出力するよう、音声切替部１３４を制御する。これにより、ラジオ機能の終了に伴い、外部オーディオ機器５０からの音声信号に基づく音声が、スピーカ１２５、１３５から出力される。
【０１１３】
ステップＳ１２の判定がＹＥＳの場合、制御部１２３は、再生停止部１２３ｂの機能により、出力対象の音声を切り替える処理を実行する（Ｓ１４）。ステップＳ１４において、制御部１２３は、まず、出力対象の音声をガイダンス音声または通話音声に切り替える指示を台所リモコン１３に送信する。これにより、台所リモコン１３側において、出力対象の音声を切り替える処理が行われる。
【０１１４】
すなわち、充足された第２停止条件が上記条件（ｅ）である場合、台所リモコン１３の制御部１３３は、ラジオ音声信号に代えてガイダンス音声信号を音声切替部１３４に出力し、さらに、ガイダンス音声信号がスピーカ１３５に出力されるよう、音声切替部１３４を制御する。これにより、ガイダンス音声がスピーカ１３５から出力される。
【０１１５】
また、充足された第２停止条件が上記条件（ｆ）である場合、台所リモコン１３の制御部１３３は、音声切替部１３４に対するラジオ音声信号の出力を中止し、さらに、通話機能が実行されるよう、音声切替部１３４とインターフォン通信部１３６を制御する。これにより、マイク１３７から出力される通話音声信号が２芯通信線Ｌ１０を介して送信される。送信された通話音声信号は、浴室リモコン１２のスピーカ１２５から再生出力される。
【０１１６】
さらに、制御部１２３は、ステップＳ１４において、浴室リモコン１２において実行される機能を、ラジオ機能からガイダンス機能または通話機能の何れかに切り替える。
【０１１７】
すなわち、充足された第２停止条件が上記条件（ｅ）である場合、浴室リモコン１２の制御部１２３は、ガイダンス音声信号を音声切替部１２４に出力し、さらに、ガイダンス音声信号がスピーカ１２５に出力されるよう、音声切替部１２４を制御する。これにより、ガイダンス音声がスピーカ１２５から出力される。
【０１１８】
また、充足された第２停止条件が上記条件（ｆ）である場合、台所リモコン１３の制御部１３３は、マイク１２７から出力される通話音声信号が２芯通信線Ｌ１０を介して送信されるよう、インターフォン通信部１２６を制御する。これにより、通話音声が台所リモコン１３のスピーカ１３５から出力される。
【０１１９】
なお、台所リモコン１３の制御部１３３は、ステップＳ１４の切替処理が行われた後も、データ取得部１３３ａの機能と再生部１３３ｂの機能を継続させる。したがって、切替処理後も、ラジオサーバ４０から制御部１３３に音響データが配信され、配信された音響データがラジオ音声信号に再生される。
【０１２０】
その後、制御部１２３は、判定部１２３ａの機能により、第２停止条件が充足されなくなったか否かを判定する（Ｓ１５）。上記条件（ｅ）の場合、ガイダンス音声の出力期間は、数秒程度である。また、上記条件（ｆ）の場合、１回の通話機能の実行期間が、予め、３０秒程度に制限されている。したがって、これらの期間が経過すると、各機能が終了し、第２停止条件が解除される。
【０１２１】
第２停止条件が解除されたと判定すると（Ｓ１５：ＹＥＳ）、制御部１２３は、再生停止部１２３ｂの機能により、ラジオ機能を復帰させる処理を行う（Ｓ１６）。
【０１２２】
すなわち、制御部１２３は、台所リモコン１３に対して、ラジオ機能を復帰させる指示を送信する。これにより、台所リモコン１３の制御部１３３は、台所リモコン１３の状態を、ステップＳ１４による切替が行われる前の状態に復帰させる。なお、台所リモコン１３の制御部１３３は、第２停止条件が解除されたことを自身で判断して、台所リモコン１３の状態を、ステップＳ１４による切替が行われる前の状態に復帰させてもよい。
【０１２３】
また、制御部１２３は、ステップＳ１６において、浴室リモコン１２の状態を、ステップＳ１４による切替が行われる前の状態に復帰させる。こうして、浴室リモコン１２の機能と台所リモコン１３の機能がラジオ機能に復帰すると、浴室リモコン１２と台所リモコン１３において、ラジオ音声の出力が再開される。このとき、上記のように、ステップＳ１４の切替後も、台所リモコン１３の制御部１３３において、データ取得部１３３ａおよび再生部１３３ｂの機能が継続されているため、ラジオ機能の復帰に応じて速やかに、ラジオ音声の出力が再開される。
【０１２４】
その後、制御部１２３は、処理をステップＳ１１に戻して、再び、判定部１２３ａの機能により、第１停止条件および第２停止条件の充足の有無を監視する。制御部１２３は、ラジオボタン１２２ｅ、１３２ｅの操作によりラジオ機能が終了するか、ステップＳ１３によりラジオ機能が終了するまで、上記と同様の処理を実行する。
【０１２５】
なお、図８のフローチャートでは、第１停止条件に基づく処理と、第２停止条件に基づく処理が、１つの流れに集約されたが、第１停止条件に基づく処理と、第２停止条件に基づく処理が、個別に行われてもよい。この場合、第１停止条件に基づく処理は、ステップＳ１１とＳ１３を含み、ステップＳ１１の判定がＮＯの場合、ステップＳ１１に戻る。第２停止条件に基づく処理は、ステップＳ１２、Ｓ１４〜Ｓ１６を含み、ステップＳ１２の判定がＮＯの場合、ステップＳ１２に戻る。これら２つの処理フローが、ラジオ機能の開始後、並行して行われる。
【０１２６】
＜実施形態の効果＞
以上、本実施形態によれば、以下の効果が奏され得る。
【０１２７】
ラジオ音声信号（音響情報）の再生出力を停止させる停止条件（第１停止条件、第２停止条件）が充足された場合に、浴室リモコン１２（第２のリモートコントローラ）におけるラジオ音声信号（音響情報）の再生出力が停止される（ステップＳ１３、Ｓ１４）。よって、浴室リモコン１２における無駄なラジオ音声信号（音響情報）の再生出力を防ぐことができる。
【０１２８】
給湯器１１の運転状態が停止状態になった場合、すなわち、上記条件（ａ）が充足されて、図８のステップＳ１１がＹＥＳとなった場合に、浴室リモコン１２におけるラジオ音声信号（音響情報）の再生出力が停止される（ステップＳ１３）。このように、給湯器１１の運転が停止されて、浴室でのラジオの視聴が想定されにくい状況となった場合に、ラジオ音声信号の再生出力を停止させることにより、浴室リモコン１２における無駄なラジオ音声信号の再生出力を防ぐことができる。
【０１２９】
給湯器１１の故障状態になった場合、すなわち、上記条件（ｂ）が充足されて、図８のステップＳ１１がＹＥＳとなった場合に、浴室リモコン１２におけるラジオ音声信号（音響情報）の再生出力が停止される（ステップＳ１３）。このように、給湯器１１に故障が生じて、浴室でのラジオの視聴が想定されにくい状況となった場合に、ラジオ音声信号の再生出力を停止させることにより、浴室リモコン１２における無駄なラジオ音声信号の再生出力を防ぐことができる。
【０１３０】
浴室リモコン１２において、優先順位が高いガイダンス音声信号、通話音声信号または外部オーディオ音声信号（他の音響情報）の再生出力が行われる状態となった場合、すなわち、上記条件（ｄ）が充足されて、図８のステップＳ１１がＹＥＳとなった場合、あるいは、上記条件（ｅ）、（ｆ）が充足されて、図８のステップＳ１２がＹＥＳとなった場合に、浴室リモコン１２におけるラジオ音声信号（音響情報）の再生出力が停止される（ステップＳ１３、Ｓ１４）。これにより、浴室リモコン１２において、ラジオ音声信号の再生出力を適切に停止でき、ガイダンス音声等の他の音声を優先的に再生出力させることができる。
【０１３１】
浴室に人が居なくなった場合、すなわち、上記条件（ｃ）が充足されて、図８のステップＳ１１がＹＥＳとなった場合に、浴室リモコン１２におけるラジオ音声信号（音響情報）の再生出力が停止される（Ｓ１３）。これにより、浴室リモコン１２における無駄なラジオ音声信号（音響情報）の再生出力を防ぐことができる。
【０１３２】
図８のフローチャートにおいて、第２停止条件が充足された場合（Ｓ１２：ＹＥＳ）、浴室リモコン１２におけるラジオ音声信号の再生出力が一時停止される。これにより、浴室リモコン１２における無駄な電力消費を抑制できる。
【０１３３】
図８のフローチャートにおいて、第１停止条件が充足された場合（Ｓ１１：ＹＥＳ）、ステップＳ１３において、台所リモコン１３（第１のリモートコントローラ）における音響データの取得および再生が停止され、さらに、音響データに基づくラジオ音声信号の送信が停止される。これにより、台所リモコン１３における無駄な電力消費を抑制できる。また、音響データの取得が終了されることにより、外部通信網３０に対する無駄な通信費の消費を抑制できる。
【０１３４】
図８のフローチャートにおいて、第１停止条件が充足された場合（Ｓ１１：ＹＥＳ）、ラジオ音声信号（音響情報）の再生出力を終了させる処理が行われる（Ｓ１３）。また、第２停止条件が充足された場合（Ｓ１２：ＹＥＳ）は、ラジオ音声信号（音響情報）の再生出力が一時的に停止され（Ｓ１４、Ｓ１５）、この条件が解消したことに応じて（Ｓ１５：ＹＥＳ）、ラジオ音声信号（音響情報）の再生出力が再開される（Ｓ１６）。これら２系統の処理により、ラジオ音声信号（音響情報）の再生出力を適切に終了および一時停止させることができ、給湯装置１０の利便性を高めることができる。
【０１３５】
図３に示したように、判定部１２３ａおよび再生停止部１２３ｂは、浴室リモコン１２に設けられている。これにより、実際にラジオ音声信号（音響情報）の再生出力を行う浴室リモコン１２において、再生出力の可否の判定処理および再生出力の停止処理が行われるため、これらの処理を簡易かつ円滑に行うことができる。
【０１３６】
図３に示したように、外部通信網３０に接続するための無線通信部１３８（通信部）が、台所リモコン１３に配置されている。このように、台所やリビングルーム等、浴室以外の居住空間に設置される台所リモコン１３に無線通信部１３８（通信部）を配置することにより、宅内に配置されたルータ２０と無線通信部１３８（通信部）との接続を安定化できる。よって、外部通信網３０から音響データを安定的に取得して浴室リモコン１２に送信することができる。また、制御部１３３と、当該制御部１３３により制御される無線通信部１３８との間の通信により、音響データの送受信が行われる。このため、音響データを円滑かつ確実に送受信できる。
【０１３７】
台所リモコン１３は、２芯通信線Ｌ１０を介して、ラジオ音声信号を浴室リモコン１２に送信する。このように、給湯器１１、浴室リモコン１２および台所リモコン１３の間で給湯動作のための情報を授受するための通信線を介して、第２のリモートコントローラから第１のリモートコントローラに音響情報が送信される。このため、別途、台所リモコン１３と浴室リモコン１２との間に、ラジオ音声信号（音響情報）を送受信するための通信系を設ける必要がない。よって、簡素な構成によりラジオ音声信号（音響情報）の送受信を行うことができる。
【０１３８】
＜変更例＞
以上、本発明の実施形態について説明したが、本発明は、上記実施形態に限定されるものではなく、また、本発明の適用例も、上記実施形態の他に、種々の変更が可能である。
【０１３９】
たとえば、上記実施形態では、判定部１２３ａと再生停止部１２３ｂが、浴室リモコン１２側に設けられたが、これらの機能が、台所リモコン１３側に設けられてもよい。この場合、たとえば、判定部１２３ａと再生停止部１２３ｂの機能が台所リモコン１３側の制御部１３３に付与され、図８の処理は、台所リモコン１３側の制御部１３３において行われる。
【０１４０】
具体的には、ステップＳ１３において、制御部１３３は、台所リモコン１３で実行されているラジオ機能を終了させるとともに、ラジオ機能を終了させる指示を浴室リモコン１２側の制御部１２３に送信して、浴室リモコン１２側で実行されているラジオ機能を終了させる。また、ステップＳ１４において、制御部１３３は、台所リモコン１３で実行されているラジオ機能をガイダンス機能または通話機能に切り替えるとともに、機能を切り替える指示を浴室リモコン１２側の制御部１２３に送信して、浴室リモコン１２側で実行されているラジオ機能をガイダンス機能または通話機能に切り替えさせる。これにより、上記実施形態１と同様の動作が実現される。
【０１４１】
あるいは、判定部１２３ａのみが浴室リモコン１２側に設けられ、再生停止部１２３ｂは、台所リモコン１３側に設けられてもよい。また、上記条件（ａ）〜（ｆ）のうち、所定の条件の判定が浴室リモコン１２側で行われ、その他の条件の判定が台所リモコン１３側で行われてもよい。たとえば、条件（ｃ）すなわち、浴室内に人が居ないことが検出されたことの充足の有無のみが浴室リモコン１２側で判定され、その他の条件は台所リモコン１３側で行われてもよい。この場合、浴室リモコン１２側で行われた判定結果と台所リモコン１３側で行われた判定結果が、随時、再生停止部１２３ｂに送信されればよい。
【０１４２】
この他、判定部１２３ａおよび再生停止部１２３ｂの全てあるいは一部の機能が、給湯器１１に設けられてもよく、あるいは、浴室リモコン１２および台所リモコン１３以外の制御ユニットに設けられてもよい。この場合も、それぞれの判定結果が、随時、再生停止部１２３ｂに送信されればよい。また、浴室リモコン１２と台所リモコン１３の両方に、判定部１２３ａの機能と再生停止部１２３ｂの機能が付与されてもよい。
【０１４３】
また、上記実施形態では、データ取得部１３３ａおよび再生部１３３ｂが、台所リモコン１３に設けられたが、これらが、浴室リモコン１２または給湯器１１に設けられてもよく、あるいは、他の制御ユニットに設けられてもよい。
【０１４４】
また、再生部１３３ｂの機能が無線通信部１３８に設けられてもよく、さらに、データ取得部１３３ａの機能が無線通信部１３８に設けられてもよい。この場合、無線通信部１３８は、再生したラジオ音声信号を音声切替部１３４に出力するよう構成される。
【０１４５】
また、上記実施形態では、音響データを再生して得られたラジオ音声信号が、台所リモコン１３から浴室リモコン１２に送信されたが、音響データの圧縮を解除した状態の音響データ（以下、「ＰＣＭラジオデータ」という）が台所リモコン１３から浴室リモコン１２に送信されてもよく、あるいは、圧縮を解除する前の音響データがそのまま台所リモコン１３から浴室リモコン１２に送信されてもよい。
【０１４６】
図９は、この場合の給湯装置１０の回路ブロックを示す図である。
【０１４７】
この変更例では、台所リモコン１３側の制御部１３３に、ＰＣＭラジオデータまたは音響データを送信するための送信部１３３ｃの機能が追加される。送信部１３３ｃは、内蔵メモリに所定パケット数のＰＣＭラジオデータまたは音響データをバッファリングし、バッファリングしたＰＣＭラジオデータまたは音響データを、所定の周期で、１パケットずつ、インターフォン通信部１３６を介して浴室リモコン１２に送信する。音響データの送信タイミングと状態情報の送信タイミングとが競合した場合、何れか一方の情報の送信が保留され、当該情報が次の送信周期で送信さればよい。
【０１４８】
また、浴室リモコン１２側の制御部１２３には、再生部１２３ｃの機能が追加される。再生部１２３ｃは、台所リモコン１３側から受信したＰＣＭラジオデータまたは音響データを再生（復調およびＡ／Ｄ変換）してアナログのラジオ音声信号を生成し、生成したラジオ音声信号を音声切替部１２４に出力する。音声切替部１２４は、入力されたラジオ音声信号をスピーカ１２５に出力する。これにより、スピーカ１２５からラジオ音声が出力される。
【０１４９】
この場合、図８のステップＳ１３では、台所リモコン１３側において、データ取得部１３３ａおよび再生部１３３ｂの他、送信部１３３ｃの機能も停止される。また、ステップＳ１３では、浴室リモコン１２側において、判定部１２３ａおよび再生停止部１２３ｂの他、再生部１２３ｃの機能も停止される。
【０１５０】
また、図８のステップＳ１４では、台所リモコン１３側において、データ取得部１３３ａおよび再生部１３３ｂの機能は継続されるが、送信部１３３ｃの機能は停止される。また、ステップＳ１４では、浴室リモコン１２側において、再生部１２３ｃの機能が停止される。
【０１５１】
なお、上記条件（ｅ）が充足されたことによりステップＳ１４の判定がＹＥＳとなった場合は、送信部１３３ｃの機能が継続されて、インターフォン通信部１３６を介したＰＣＭラジオデータまたは音響データの送信が継続されてもよい。この場合、再生部１２３ｃの機能も継続される。これにより、ガイダンス音声の再生終了に伴い図８のステップＳ１６においてラジオ機能が復帰した際に、ラジオ音声の出力を迅速に行うことができる。
【０１５２】
また、上記実施形態では、停止条件が、第１停止条件と第２停止条件に分けられたが、条件（ａ）〜（ｆ）が停止条件に統合されて、これらの条件の少なくとも一つが充足された場合に、ラジオ機能が終了されてもよい。また、停止条件は、必ずしも、上記に例示されたものに限られるものではなく、上記条件の何れかが除外され、あるいは、他の条件が追加されてもよい。また、上記条件（ｆ）すなわち通話機能が実行されていることが第１停止条件に移動されてもよい。
【０１５３】
また、上記実施形態では、外部オーディオ機能が実行された場合にラジオ機能が終了されたが、外部オーディオ機能が台所リモコン１３でのみ実行される場合は、浴室リモコン１２においてラジオ機能を継続させてもよい。この場合、台所リモコン１３の音声切替部１３４は、制御部１３３から供給されるラジオ音声信号をインターフォン通信部１３６に出力する経路と、入力端子１３ｂから供給される外部オーディオ音声信号をスピーカ１３５に出力する経路とを同時に有効化できる構成であればよい。
【０１５４】
また、上記実施形態では、無線通信部１３８が台所リモコン１３に設けられたが、無線通信部１３８が他の機器に設けられてもよい。たとえば、無線通信部１３８が浴室リモコン１２または給湯器１１に設けられてもよく、あるいは、給湯器１１、浴室リモコン１２および台所リモコン１３以外の制御ユニットに無線通信部１３８が設けられてもよい。
【０１５５】
また、給湯装置１０は、必ずしも、無線通信により外部通信網３０に接続されなくてもよく、有線通信により外部通信網３０に接続されてもよい。また、ラジオの音響データに基づく音響情報の受け渡しは、必ずしも、２芯通信線Ｌ１０により行われなくてもよい。たとえば、浴室リモコン１２と台所リモコン１３との間に２芯通信線Ｌ１０以外の通信経路を設け、この通信経路により音響情報を、台所リモコン１３から浴室リモコン１２に送信してもよい。この通信経路は、無線でも、有線でもよい。特に、図９の構成では、高速かつ円滑にデータを送信するために、他の通信経路により音響データまたはＰＣＭ音声データを送信してもよい。
【０１５６】
また、上記実施形態では、浴室リモコン１２（第２のリモートコントローラ）のみならず、台所リモコン１３（第１のリモートコントローラ）においても、ラジオ音声が再生できたが、浴室リモコン１２においてのみラジオ音声が再生でき、台所リモコン１３においては、ラジオ音声が再生できない構成であってもよい。
【０１５７】
さらに、上記実施形態では、浴室リモコン１２および台所リモコン１３において再生されるコンテンツデータが、ラジオサーバ４０から配信されるラジオの音響データであった。しかしながら、浴室リモコン１２および台所リモコン１３において再生されるコンテンツデータは、必ずしもラジオの音響データに限られるものではなくてもよく、たとえば、音楽配信サーバから配信される楽曲の音響データであってもよい。音響データに限らず、画像や動画のコンテンツデータが再生可能であってもよい。
【０１５８】
また、判定部１２３ａ、再生停止部１２３ｂおよび再生部１２３ｃの機能は、必ずしも、同一のマイクロコンピュータによって実行されなくてもよく、複数のマイクロコンピュータまたは演算処理回路にこれらの機能が分けられてもよい。同様に、データ取得部１３３ａ、再生部１３３ｂおよび送信部１３３ｃの機能は、必ずしも、同一のマイクロコンピュータによって実行されなくてもよく、複数のマイクロコンピュータまたは演算処理回路にこれらの機能が分けられてもよい。
【０１５９】
さらに、リモートコントローラの数は２つに限られるものではなく、３つ以上であってもよい。この場合、少なくとも一対のリモートコントローラの組み合わせにおいて、上記実施形態の構成が適用されればよい。また、上記実施形態の構成が適用されないリモートコントローラが存在してもよい。たとえば、所定のリモートコントローラには、ラジオ機能や外部オーディオ機能が適用されておらず、運転のオン／オフや、給湯機能の設定操作に関する機能のみが設けられていてもよい。
【０１６０】
また、運転のオン／オフは、図２（ａ）、（ｂ）に示した運転ボタン１２２ａ、１３２ａに対する操作以外の操作によって行われてもよい。たとえば、浴室リモコン１２と台所リモコン１３以外にリモートコントローラが存在する場合は、このリモートコントローラに対する操作によって、運転のオン／オフが行われてもよい。また、給湯装置１０が携帯電話機等の携帯端末装置によって遠隔操作可能である場合、当該携帯端末装置によって運転のオン／オフが行われてもよい。
【０１６１】
なお、上記実施形態では、図８の処理により、ラジオ機能が終了または一時停止されたが、さらに、同様の処理により、外部オーディオ機能が終了または一時停止されてもよい。この場合、ステップＳ１１に対応する処理ステップにおいて、第１停止条件から条件（ｄ）すなわち外部オーディオ機器５０が接続されたことが除かれ、ステップＳ１３に対応する処理ステップは、外部オーディオ機能の終了処理に変更される。また、ステップＳ１６に対応する処理ステップでは、外部オーディオ機能へ復帰させる処理が行われる。
【０１６２】
この他、ガイダンス機能、通話機能、外部オーディオ機能およびラジオ機能の優先順位は、上記実施形態に示した優先順位に限られるものではない。たとえば、ラジオ機能の優先順位が外部オーディオ機能より上位であってもよい。この場合、条件（ｄ）は省略される。また、給湯装置１０に外部オーディオ機能が無くてもよく、あるいは、他の音声出力のための機能が追加されてもよい。
【０１６３】
本発明の実施形態は、特許請求の範囲に記載の範囲で適宜種々の変更可能である。
【符号の説明】
【０１６４】
１０  給湯装置
３０  外部通信網
１２  浴室リモコン（第２のリモートコントローラ）
１３  台所リモコン（第１のリモートコントローラ）
１２３ａ  判定部
１２３ｂ  再生停止部
１２８  人感センサ
１３３ａ  データ取得部
１３８  無線通信部（通信部）
Ｌ１０  ２芯通信線（通信線）
【図１】
2020190389.tif 000003
【図２】
2020190389.tif 000004
【図３】
2020190389.tif 000005
【図４】
2020190389.tif 000006
【図５】
2020190389.tif 000007
【図６】
2020190389.tif 000008
【図７】
2020190389.tif 000009
【図８】
2020190389.tif 000010
【図９】
2020190389.tif 000011